(57)【特許請求の範囲】
【請求項１】
生体信号を検知する検知部と、前記検知部で検知した生体情報を処理し処理データを無線送信可能な生体信号処理装置との間を信号線で接続する生体信号ケーブルであって、
前記生体信号処理装置と接続する第１の接続部と、
前記第１の接続部から前記生体信号処理装置が無線送信する際の送信周波数の約（１／４）波長離れた位置に設けられた、前記送信周波数に対して抵抗の高い高抵抗部とを有することを特徴とする生体信号ケーブル。
【請求項２】
生体信号を検知する検知部と、前記検知部で検知した生体情報を処理し処理データを無線送信可能な生体信号処理装置との間を信号線で接続する生体信号ケーブルであって、
前記生体信号処理装置と接続する第１の接続部と、
前記第１の接続部から前記生体信号処理装置が無線送信する際の送信周波数の約（１／４）波長離れた位置及び該位置より前記送信周波数の約（１／２）波長離れた位置に設けられた前記送信周波数に共振する共振部とを有することを特徴とする生体信号ケーブル。
【請求項３】
前記共振部は、前記信号線に係止された導電性部材であることを特徴とする請求項２記載の生体信号ケーブル。
【請求項４】
前記共振部の導電性部材はフェライトコアであることを特徴とする請求項３記載の生体信号ケーブル。
【請求項５】
前記共振部の導電性部材は前記信号線が貫通する導電性金属製円筒であり、接地信号線と電気的に接続されかつ電気的（１／４）波長に共振していることを特徴とする請求項３記載の生体信号ケーブル。
【請求項６】
前記共振部は、前記信号線を空芯コイル状に整形して構成することを特徴とする請求項２記載の生体信号ケーブル。
【請求項７】
前記共振部は、前記信号線を空芯コイル状に整形すると共に、信号線の前記空芯コイル端部間に接続された静電容量素子とで並列共振回路が形成され前記共振周波数に共振するものであることを特徴とする請求項２記載の生体信号ケーブル。
【請求項８】
前記請求項１乃至請求項７のいずれか１項に記載の生体信号ケーブルを介して当該生体信号ケーブルに接続された前記検知部よりの生体信号を入力して所定の処理を行い、当該処理の結果を前記生体信号ケーブルをアンテナとして無線送信することを特徴とする生体信号処理装置。
【発明の詳細な説明】
【０００１】
【発明の属する技術分野】
本発明は、生体信号を検知する検知部と前記検知部で検知した生体情報を処理し処理データを無線送信可能な生体信号処理装置との間を信号線で接続する生体信号ケーブル及び該ケーブルをアンテナ線として用いる生体信号処理装置に関するものである。
【０００２】
【従来の技術】
従来の患者より心電図信号等を収集して収集信号を無線でモニタ装置などに送信する医用テレメータ装置が用いられている。
【０００３】
この種の医用テレメータ装置は、常時患者の心電図を監視する必要がある場合に装着されており、患者に与える負担を少なく抑える必要があるため小型化してきており、携帯型のものが数多く使用されている。
【０００４】
このため、装置に専用の長いアンテナ線を配設することは使用上の障害となる。また、心電図信号は無線送信周波数ほど高周波ではない。以上の点をふまえて、生体電極と医用テレメータ間を接続する信号ケーブルにアンテナ線としての機能を持たせたものが一般的である。
【発明が解決しようとしている課題】
しかしながら、従来の信号ケーブルをアンテナとして兼用している医用テレメータにおいて、信号線の先端は生体電極に接続されており、電気的には生体に接続された状態でありどうしてもアンテナ効率が低くなる問題があった。
【０００５】
【課題を解決するための手段】
本発明は上述の問題点を解決することを目的として成されたもので、簡単な構成で信号ケーブルをアンテナ線として兼用してもアンテナ効率の良い医用テレメータを提供することを目的とする。そして係る目的を達成する一手段として例えば以下の構成を備える。
【０００６】
即ち、生体信号を検知する検知部と、前記検知部で検知した生体情報を処理し処理データを無線送信可能な生体信号処理装置との間を信号線で接続する生体信号ケーブルであって、前記生体信号処理装置と接続する第１の接続部と、前記第１の接続部から前記生体信号処理装置が無線送信する際の送信周波数の約（１／４）波長離れた位置に設けられた送信周波数的に抵抗の高い高抵抗部とを有することを特徴とする。
【０００７】
または、生体信号を検知する検知部と、前記検知部で検知した生体情報を処理し処理データを無線送信可能な生体信号処理装置との間を信号線で接続する生体信号ケーブルであって、前記生体信号処理装置と接続する第１の接続部と、前記第１の接続部から前記生体信号処理装置が無線送信する際の送信周波数の約（１／４）波長離れた位置及び該位置より前記送信周波数の約（１／２）波長離れた位置に設けられた送信周波数的に抵抗を高区するために前記送信周波数に共振する共振部とを有することを特徴とする。
【０００８】
そして例えば、前記共振部は、前記信号線に係止された導電性部材であることを特徴とする。あるいは、前記共振部の導電性部材はフェライトコアであること特徴とする。あるいは、前記共振部の導電性部材は前記信号線が貫通する導電性金属製円筒であり、接地信号線と電気的に接続されかつ電気的（１／４）波長に共振していることを特徴とする。
【０００９】
また例えば、前記共振部は、前記信号線を空芯コイル状に整形して構成することを特徴とする。あるいは、前記共振部は、前記信号線を空芯コイル状に整形すると共に、信号線の前記空芯コイル端部間に接続された静電容量素子とで並列共振回路が形成され前記共振周波数に共振するものであることを特徴とする。
【００１０】
更に、前記いずれかに記載の信号ケーブルを介して当該ケーブルに接続された前記検知部よりの生体信号を入力して所定の処理を行い、処理結果を前記信号ケーブルをアンテナとして無線送信する生体情報処理装置とする。
【００１１】
【発明の実施の形態】
以下、図面を参照して本発明に係る一実施形態を詳細に説明する。
【００１２】
本発明の実施の形態例の信号ケーブルは、生体電極よりの心電信号を装置内に取り込むための信号ケーブルに無線送信時のアンテナ機能を与えている医用テレメータに接続される信号ケーブルである。
【００１３】
〔第１の実施の形態例〕
まず、図１は本発明に係る一発明の実施の形態例の医用テレメータに最適な信号ケーブルを説明するための図である。
【００１４】
図１において、１００は本実施の形態例の接続信号ケーブル、１１０は信号ケーブルの医用テレメータ装置に具備された信号入力コネクタに接続される医用テレメータ接続コネクタ、１２０は医用テレメータの送信周波数の約（１／４）波長となる位置に係止されたフェライトコアで構成されたチョークコイル部、１３０は生体に装着される心電図信号を検出する心電図用電極に接続される心電図用電極接続部である。
【００１５】
本実施の形態例において、図１に示す信号ケーブルを使用しようとしたのは、医用テレメータに入力される心電図信号は低周波数の信号であり、医用テレメータ装置の送信周波数が高周波数の信号である点に着目したためである。
【００１６】
即ち、例えケーブルの先に電極が接続されて電気的には生体に接続された状態であっても、高周波的に切り離し、当該ケーブルが送信周波数に共振した状態を作れれば、アンテナ効率が上がると予想したためであり、高周波的に切り離すために、信号ケーブルの途中に送信周波数的に選択的に抵抗の高いものを配置することとしたのである。
【００１７】
周波数的に抵抗の高いものであれば任意の要素で構成できるが、図１の例では医用テレメータ接続部より医用テレメータの送信周波数の約（１／４）波長の箇所に周波数的に抵抗の高い筒状のフェライトコア１２０が位置するように配置し、このフェライトコア１２０を表面が電気的に絶縁されている信号線１４０を１４５に示すように巻回している。このように信号線でコア部を巻回することでコア部の位置が変化する様なことが少なく安定したものが提供できる。
【００１８】
以上の様に構成することにより、信号ケーブルの途中の医用テレメータの送信周波数の約（１／４）波長の箇所に、高周波的に絶縁した状態を作り出すと共に、（１／４）λに共振させるようにして更にアンテナ効率を向上させている。
【００１９】
このように構成することにより、医用テレメータ装置や心電図電極に特別の加工等を行うことなく、単に医用テレメータと電極との間の接続ケーブルを図１の構成に置き換えるのみで、高いアンテナ性能を備えた医用テレメータシステムが実現する。
【００２０】
〔第２の実施の形態例〕
以上の説明した第１の実施の形態例では、医用テレメータの送信周波数の約（１／４）波長となる位置に係止されたフェライトコアを信号線で巻回する例を説明した。しかしながら、本発明は以上の例に限定されるものではなく、信号線を筒状フェライトコアの中心部に貫通させ、この位置で固定しても良い。
【００２１】
このように構成した本発明に係る第２の実施の形態例の信号ケーブルの例を図２を参照して説明する。図２は本発明に係る第２の実施の形態例の医用テレメータに最適な信号ケーブルを説明するための図である。
【００２２】
図２において、２１０は信号ケーブルの医用テレメータ装置に具備された信号入力コネクタに接続される医用テレメータ接続コネクタ、２２０は医用テレメータの送信周波数の約（１／４）波長となる位置に係止されたフェライトコアで構成されたチョークコイル部、２３０は生体に装着される心電図信号を検出する心電図用電極に接続される心電図用電極接続部である。
【００２３】
第２の実施の形態例において、例えばフェライトコア２２０と信号ケーブル線とは、接着剤で固定してその位置がずれないに構成としている。
【００２４】
係る構成として第１の実施例と同様の高いアンテナ性能が得られる。
【００２５】
〔第３の実施の形態例〕
以上の説明した第１，第２の実施の形態例では、医用テレメータの送信周波数の約（１／４）波長となる位置にフェライトコアを配置する例を説明した。しかしながら、本発明は以上の例に限定されるものではなく、周波数的に抵抗の高い構成要素を配置すればよく、信号線による空芯コイルを配置しても同様の作用効果が得られる。
【００２６】
このように構成した本発明に係る第３の実施の形態例の信号ケーブルの例を図３を参照して説明する。図３は本発明に係る第３の実施の形態例の医用テレメータに最適な信号ケーブルを説明するための図である。
【００２７】
図３において、３２０が信号ケーブルの信号線を整形した空芯コイルである。この空芯コイル３２０は、例えば信号線をコイル状に整形し、整形状態を固定して形成している。他の構成は上述した実施の形態例と同様である。
【００２８】
図３に示すような空芯コイル端部が医用テレメータの送信周波数の約（１／４）波長となる位置に形成することにより、高周波的な高抵抗部分とすることができ、上述した実施の形態例と同様に不図示の接続医用テレメータ装置より出力された高周波信号は、高抵抗となる空芯コイル部分との間で共振状態となり、複雑な構成とすることなく、軽量で効率の良いアンテナ性能が得られる。
【００２９】
〔第４の実施の形態例〕
以上の説明した第１，第２の実施の形態例では、医用テレメータの送信周波数の約（１／４）波長となる位置にフェライトコアや空芯コイルを配置する例を説明した。しかしながら、本発明は以上の例に限定されるものではなく、周波数的に抵抗の高い構成要素を配置すればよく、送信周波数に共振する副導体、例えば銅パイプ、又は金属パイプ等を配置しても同様の作用効果が得られる。
【００３０】
このように構成した本発明に係る第４の実施の形態例の信号ケーブルの例を図４を参照して説明する。図４は本発明に係る第４の実施の形態例の医用テレメータに最適な信号ケーブルを説明するための図である。
【００３１】
図４において、４２０が送信周波数に電気的に（１／４）波長で共振する副導体であり、例えば銅パイプ、又は金属箔を巻き付けてリング状に整形した副導体である。第４の実施の形態例では、信号線がシールド線で構成されており、このシールド線のシールド導体の部分をこの副導体４２０と電気的に接続することが望ましい。
【００３２】
図４の例では、４２１に示す黒丸部分が信号線のシールド導体部分との接続部である。なお、他の構成は上述した実施の形態例と同様である。
【００３３】
図４に示すような副導体４２０を、医用テレメータの送信周波数の約（１／４）波長となる位置に配置することにより、高周波的な高抵抗部分とすることができ、上述した実施の形態例と同様に、軽量で効率の良いアンテナ性能が得られる。
【００３４】
〔第５の実施の形態例〕
以上の説明した実施の形態例では、医用テレメータの送信周波数の約（１／４）波長となる位置にフェライトコアや空芯コイル等の周波数的に抵抗の高い構成要素を配置する例を説明した。しかしながら、本発明は以上の例に限定されるものではなく、更に接続コネクタ部分より医用テレメータの送信周波数の約（１／４）波長となる位置に配置された周波数的に抵抗の高い構成要素であり、更に当該構成要素先端より先医用テレメータの送信周波数の約（１／２）波長となる位置にも同じく周波数的に抵抗の高い構成要素を配置しても良い。このように共振副導体を更に設けることにより効率の良いアンテナ性能を有する信号ケーブルが提供できる。
【００３５】
このように構成した本発明に係る第５の実施の形態例の信号ケーブルの例を図５を参照して説明する。図５は本発明に係る第５の実施の形態例の医用テレメータに最適な信号ケーブルを説明するための図である。。
【００３６】
図５において、５２０が接続コネクタ部分より医用テレメータの送信周波数の約（１／４）波長となる位置に配置された送信周波数に共振する第１の副導体であり、例えば銅パイプ、又は金属箔を巻き付けてリング状に整形してある。
【００３７】
また、５２５が第１の副導体５２０先端より医用テレメータの送信周波数の約（１／２）波長となる位置に配置された送信周波数に共振する第２の副導体であり、例えば銅パイプ、又は金属箔を巻き付けてリング状に整形してある。
【００３８】
第５の実施の形態例でも第４の実施の形態例と同様に信号線がシールド線で構成されており、このシールド線のシールド導体の部分をこの第１の副導体５２０、第２の副導体５２５と電気的に接続することが望ましい。
【００３９】
図５の例では、５２１、５２６に示す黒丸部分が信号線のシールド部分との接続部である。なお、他の構成は上述した実施の形態例と同様である。
【００４０】
図５に示すような副導体５２０、５２５を備えることにより、送信周波数における共振回路を形成することができ、更に効率の良いアンテナ性能が得られる。
【００４１】
〔第６の実施の形態例〕
以上の説明した第１の実施の形態例では、医用テレメータの送信周波数の約（１／４）波長となる位置に係止されたフェライトコアを配置する例を説明した。しかしながら、本発明は以上の例に限定されるものではなく、当該位置にリアクタンス素子とインダクタンス素子より構成される共振回路を形成することにより、医用テレメータの送信周波数的に抵抗の高い構成要素を配置しても良い。
【００４２】
このように構成した本発明に係る第６の実施の形態例の信号ケーブルの例を図６を参照して説明する。図６は本発明に係る第６の実施の形態例の医用テレメータに最適な信号ケーブルを説明するための図である。
【００４３】
図６において、６２０は信号ケーブルの医用テレメータの送信周波数の約（１／４）波長となる位置に形成されたインダクタンス素子としての並列共振用コイルであり、例えば信号線を円形又は筒状に整形して固定している。６３０は並列共振用コイル６２０の両端部のシールド線間に接続されたリアクタンス素子としての所定の静電容量を有するコンデンサである。
【００４４】
第６の実施の形態例ではこの並列共振用コイル６２０とコンデンサ６３０とで医用テレメータの送信周波数に対応する共振回路を形成している。
【００４５】
図６に示すような並列共振回路を備えることにより、更に効率の良いアンテナ性能が得られる。
【００４６】
なお、図６において、所定の静電容量を確保するコンデンサを接続する例を説明したが、コンデンサを備えていない状態であっても、医用テレメータの送信周波数の約（１／４）波長となる位置に医用テレメータの送信周波数的に抵抗の高い構成要素を配置することができ、十分なアンテナ性能を確保することが可能である。
【００４７】
以上の各説明において、信号線の成形後の固定は、例えばプラスチック樹脂を硬化させて行っても、結束帯などで縛ることにより固定してもよく、固定方法に限定はない。
【００４８】
〔医用テレメータの説明〕
以上の各実施の形態例の接続ケーブルは、収集情報の転送には無線通信を行い、その際の送信アンテナを接続ケーブルで代用しようとする医用テレメータに用いることにより最も高い作用効果を奏することができる。
【００４９】
図１乃至図６に示す各信号ケーブルは、いずれも医用テレメータ装置の入力コネクタ部に装着可能であり、各信号ケーブルの先端には、例えば心電図を収集するための生体の所定部位に装着される生体電極（心電図電極）が接続される。
【００５０】
患者より心電図情報を収集しようとする場合には、医用テレメータの入力コネクタに上記した各本実施の形態例の信号ケーブルの医用テレメータ接続コネクタを接続する。そして被検者の所定部位に生体電極を装着し、信号ケーブルの先端部を生体電極と接続する。
【００５１】
そして、医用テレメータを起動して生体信号の収集を開始する。生体信号の情報は高周波信号に乗せられ（高周波信号で変調し）、例えばナースセンターにあるモニタ装置あて無線送信する。この際、接続ケーブルをアンテナ線として高周波の情報を送信する。
【００５２】
この場合、信号ケーブルの送信周波数の例えば約（１／４）波長の位置に送信周波数的に抵抗の高い構成要素を配置することすることにより、信号ケーブルにおいて送信周波数における共振回路を形成することができ、効率の良い無線通信が可能となる。
【００５３】
以上説明したように実施の形態例によれば、信号ケーブルの送信周波数の例えば約（１／４）波長の位置に送信周波数的に抵抗の高い構成要素を配置することにより、送信周波数における共振状態を形成することができ、効率の良い無線通信が可能となる。
【発明の効果】
以上説明した様に本発明によれば、信号ケーブルの送信周波数の例えば約（１／４）波長の位置に送信周波数的に抵抗の高い構成要素を配置することすることにより、信号ケーブルをアンテナとして使用した場合に、送信周波数的には生体と絶縁した状態を作ることが可能となる。
【図面の簡単な説明】
【図１】本発明に係る一発明の実施の形態例の医用テレメータに最適な信号ケーブルを説明するための図である。
【図２】本発明に係る第２の実施の形態例の医用テレメータに最適な信号ケーブルを説明するための図である。
【図３】本発明に係る第３の実施の形態例の医用テレメータに最適な信号ケーブルを説明するための図である。
【図４】本発明に係る第４の実施の形態例の医用テレメータに最適な信号ケーブルを説明するための図である。
【図５】本発明に係る第５の実施の形態例の医用テレメータに最適な信号ケーブルを説明するための図である。
【図６】本発明に係る第６の実施の形態例の医用テレメータに最適な信号ケーブルを説明するための図である。
【図１】
0004588858.tif 000002
【図２】
0004588858.tif 000003
【図３】
0004588858.tif 000004
【図４】
0004588858.tif 000005
【図５】
0004588858.tif 000006
【図６】
0004588858.tif 000007